(57)【要約】【課題】傾斜地盤に向かって銃弾が打ち込まれる場合でも、射撃場周辺の環境汚染を確実に防止できる汚染防止システムを提供する。【解決手段】傾斜地盤面１１の上に設けられ、汚染源である銃弾の傾斜地盤１２側への進入を阻止することを可能とした第一の防水層１と、第一の防水層１の表面を流下した汚染水を浄化して排水するための第一の浄化層３とを備え、第一の防水層１がその表面を流下する水の傾斜地盤１２側への透過を可能とした透水層を有しており、この第一の防水層１の下方である傾斜地盤１２中に傾斜地盤面１１に沿って設けられた第二の防水層２と、第二の防水層２の表面を流下した汚染水を浄化して排水するための第二の浄化層４とを備えている。【選択図】  図１
2004223445.tif 000002
【特許請求の範囲】
【請求項１】
傾斜地盤面の上に設けられ、汚染源である銃弾の該傾斜地盤側への進入を阻止することを可能とした第一の防水層と、
前記第一の防水層の表面を流下した汚染水を浄化して排水するための第一の浄化層とを備えたことを特徴とする汚染防止システム。
【請求項２】
前記第一の防水層がその表面を流下する水の傾斜地盤側への透過を可能とした透水層を有しており、この第一の防水層の下方である前記傾斜地盤中に前記傾斜地盤面に沿って設けられた第二の防水層と、前記第二の防水層の表面を流下した汚染水を浄化して排水するための第二の浄化層とを備えたことを特徴とする請求項１に記載の汚染防止システム。
【請求項３】
前記浄化層は、ゼオライトからなることを特徴とする請求項１又は請求項２に記載の汚染防止システム。
【請求項４】
前記第一の防水層は、所定の平面寸法を有するバラストマットを敷き詰めてなることを特徴とする請求項１から請求項３のいずれか一項汚染防止システム。
【請求項５】
前記第二の防水層は、キレート剤を配合したグラウトからなることを特徴とする請求項１から請求項４のいずれか一項に記載の汚染防止システム。
【請求項６】
前記第一の防水層の下側面に沿って該第一の防水層の平面寸法に対応する平面寸法を有する第三の浄化層を備えたことを特徴とする請求項１から請求項５のいずれか一項に記載の汚染防止システム。
【発明の詳細な説明】
【０００１】
【発明の属する技術分野】
本発明は、主として射撃場周辺の環境汚染を防止する目的に用いられる汚染防止システムに関する。
【０００２】
【従来の技術】
従来の汚染防止システムとしては、例えば汚染源である鉛散弾が打ち込まれる傾斜地盤の下流側に設けられ、汚染水を堰き止めるための鉛直遮水壁と、鉛直遮水壁の下流側に設けられ、汚染水を無害化処理するための汚染水処理施設と、遮水壁で堰き止めた汚染水を汚染水処理施設まで導くための集水管とを備えたものが開示されている（例えば、特許文献１参照）。
【０００３】
【特許文献１】
特開２００２−３０１４４４号公報
【０００４】
【発明が解決しようとする課題】
ところで、傾斜地盤に鉛散弾が打ち込まれた場合には、降雨などにより鉛散弾から汚染物質が溶出して汚染水が発生することになり、汚染水の大部分は、傾斜地盤面を流下することになり、鉛直遮水壁及び集水管を通じて汚染水処理施設によって無害化処理される。
これに対して、汚染水の一部分は、傾斜地盤中に浸入することになるが、傾斜地盤中に浸入した水が、どのような経路を通って流下するかについて完全に把握することは実際上かなり困難であり、射撃場周辺の環境汚染の防止が不完全になっている虞がある。
したがって、従来の汚染防止システムに対しては、傾斜地盤に鉛散弾が打ち込まれた場合でも、射撃場周辺の環境汚染の防止が完全に機能していることが要請されている。
【０００５】
そこで、本発明の課題は、傾斜地盤に向かって銃弾が打ち込まれる場合でも、射撃場周辺の環境汚染を確実に防止できる汚染防止システムを提供することにある。
【０００６】
【課題を解決するための手段】
上記課題を解決するため、本発明に係る汚染防止システムは、傾斜地盤面の上に設けられ、汚染源である銃弾の傾斜地盤側への進入を阻止することを可能とした第一の防水層と、第一の防水層の表面を流下した汚染水を浄化して排水するための第一の浄化層とを備えたことを特徴としている。
【０００７】
このような汚染防止システムによれば、汚染源である銃弾の傾斜地盤側への進入を阻止する第一の防水層及び第一の防水層の表面を流下した汚染水を浄化する浄化層を備えたので、傾斜地盤に向かって銃弾が打ち込まれる場合でも、汚染水が傾斜地盤中に浸入せず、第一の防水層の表面を流下し第一の浄化層によって浄化されることになる。
【０００８】
したがって、これによれば、射撃場周辺の環境汚染を確実に防止できる。
【０００９】
このような技術的手段において、射撃場周辺の生態系への影響に対しても可及的に配慮することとして、射撃場周辺の環境汚染をより確実に防止しようとする観点からすれば、第一の防水層がその表面を流下する水の傾斜地盤側への透過を可能とした透水層を有しており、この第一の防水層の下方である傾斜地盤中に傾斜地盤面に沿って設けられた第二の防水層と、第二の防水層の表面を流下した汚染水を浄化して排水するための第二の浄化層とを備えたことが好ましい。
【００１０】
また、浄化層としては、汚染水に含まれる鉛などの重金属その他の汚染物質を浄化し得るものであれば、材料や浄化方式の別を問わず、活性炭、砂利、砂などの中から適宜選定して差し支えない。
【００１１】
ただし、浄化能力の高い材料を可及的に用いることとして、射撃場周辺の環境汚染をより確実に防止しようとする観点からすれば、浄化層は、ゼオライトからなることが好ましい。
【００１２】
さらに、第一の防水層としては、銃弾の傾斜地盤側への進入を阻止し得る防水層であれば、材料や構造の別を問わず、例えば防水工を施した鉄筋コンクリート板やアスファルト舗装板などの中から適宜選定して差し支えない。
【００１３】
ただし、施工性やコストパフォーマンスの良い材料を可及的に用いることとして、射撃場周辺の環境汚染をより安価に防止しようとする観点からすれば、第一の防水層は、所定の平面寸法を有するバラストマットを敷き詰めてなることが好ましい。
【００１４】
さらにまた、第二の防水層に汚染水を浄化する機能をも付加することとして、射撃場周辺の環境汚染の防止を担保しようとする観点からすれば、第二の防水層は、キレート剤を配合したグラウトからなることが好ましい。
【００１５】
また、第一の防水層と第二の防水層の間の土層を可及的に涵養することとして、銃弾が打ち込まれる傾斜地盤における緑化を促進しようとする観点からすれば、第一の防水層の下側面に沿って第一の防水層の平面寸法に対応する平面寸法を有する第三の浄化層を備えたことが好ましい。
【００１６】
【発明の実施の形態】
以下、添付図面に基づいて本発明の実施の形態を詳細に説明する。
【００１７】
なお、本実施の形態では、第一の防水層を表土で被覆して植生工を施す場合について説明するが、これに限られるものではない。つまり、本発明は、第一の防水層を露出させて植生工を施さない場合にも、適用可能である。
【００１８】
［汚染防止システム］
図１は本発明の一実施の形態に係る汚染防止システムの全体構成を示す断面図、図２は同汚染防止システムの部分構成を示す図（図２（ａ）は断面図、図２（ｂ）は斜視図）である。
【００１９】
本実施の形態において、汚染防止システムは、図１に示すように、射撃場１０周辺の環境汚染を防止する目的に用いられるものとして構成されている。
【００２０】
そして、この汚染防止システムは、同図に示すように、第一の防水層１と、第二の防水層２と、第一の浄化層３と、第二の浄化層４と、第三の浄化層５と、排水路６とを備えたものとして構成されている。
【００２１】
以下、これらの各構成要素についてさらに詳細に説明する。
【００２２】
（１）第一の防水層１
第一の防水層１は、傾斜地盤面１１の上に設けられ、汚染源である銃弾（図示外）の傾斜地盤１２側への進入を阻止することを可能としたものとして構成されている。
【００２３】
具体的には、第一の防水層１は、図示しないが、所定の平面寸法を有するバラストマットであって古タイヤ屑等を固めてなるものを敷き詰めてなるものとして構成されている。
【００２４】
これにより、施工性やコストパフォーマンスの良い材料が用いられることになり、その結果、射撃場１０周辺の環境汚染をより安価に防止することが可能となっている。加えて、必要に応じて取り替えることも可能となっており、これにより、鉛弾の回収が容易になっている。
【００２５】
ここで、第一の防水層１がその表面を流下する水の傾斜地盤１２側への透過を可能とした透水層を有している。
【００２６】
これにより、射撃場１０周辺の生態系への影響に対しても相当に配慮されることとなっており、その結果、射撃場１０周辺の環境汚染をより確実に防止することが可能となっている。
【００２７】
具体的には、透水層は、図示しないが、各バラストマットを若干隙間をおいて敷き並べることにより確保されている。
【００２８】
これにより、雨水が各バラストマットの隙間から浸透することになり、その結果、第一の防水層１と第二の防水層２の間における傾斜地盤１２を涵養することが可能となっている。換言すれば、傾斜地盤１２を涵養することにより、自然斜面の状態に近づけることが可能となっており、もって緑化を促進することが可能となっている。
【００２９】
また、透水層としては、バラストマットに適宜孔を開けてもよく、更に、開孔部にゼオライト粒を樹脂で固めた通水層を作れば、雨水はこのゼオライト粒を透過していくときに、浄化されるのでより効果的な透水層を形成することが可能である。
【００３０】
なお、透水層を有しない場合には、各バラストマットの間に形成される目地に防水工を施すことになっている。
【００３１】
（２）第二の防水層２
第二の防水層２は、図１に示すように、第一の防水層１の下方である傾斜地盤１２中に傾斜地盤面１１に沿って設けられたものとして構成されている。
【００３２】
すなわち、この第二の防水層２によれば、後記する第二の浄化層４を設けることにより、射撃場１０周辺の生態系への影響に対しても相当に配慮されることとなっており、これにより、射撃場１０周辺の環境汚染をより確実に防止することが可能となっている。
【００３３】
具体的には、第二の防水層２は、キレート剤を配合したグラウトからなるものとして構成されている。
【００３４】
これにより、第二の防水層２に汚染水を浄化する機能をも付加されることになり、その結果、射撃場１０周辺の環境汚染の防止を担保することが可能となっている。
【００３５】
（３）第一の浄化層３
第一の浄化層３は、図１及び図２（ａ）に示すように、第一の防水層１の表面を流下した汚染水を浄化して排水するために用いられるものとして構成されている。
【００３６】
なお、第一の浄化層３の下流側には、これらの図に示すように、遮水壁３１が設けられている。
【００３７】
これにより、第一の防水層１の表面を流下した汚染水が、第一の浄化層３内を確実に通過するとともに排水路６から確実に排出されることとなっている。
【００３８】
ここで、第一の浄化層３としては、図示しないが、ゼオライトからなるものとして構成されている。
【００３９】
これにより、浄化能力の高い材料が用いられることになり、その結果、射撃場１０周辺の環境汚染をより確実に防止することが可能となっている。
【００４０】
なお、第一の浄化層３としては、図２（ｂ）に示すように、適宜の形状寸法を有する板状又はブロック状のゼオライト板３２を用いている。ここで、ゼオライト板３２は、ゼオライトを樹脂で固めてなり、クレーンなどで吊り上げるためのフックを有している。具体的には、ゼオライト板３２は、浄化層を形成する溝に地表からの着脱が可能な状態に敷き並べられている。
【００４１】
これにより、浄化能力の乏しくなったゼオライト板３２を新たなゼオライト板３２と地表面から交換できることになり、その結果、半永久的に浄化層の浄化能力を保つことが可能となっている。
【００４２】
（４）第二の浄化層４
第二の浄化層４は、図１及び図２（ａ）に示すように、第二の防水層２の表面を流下した汚染水を浄化して排水するために用いられるものとして構成されている。
【００４３】
この第二の浄化層４によれば、第二の防水層２を設けることにより、射撃場１０周辺の生態系への影響に対しても相当に配慮されることとなっており、その結果、射撃場１０周辺の環境汚染をより確実に防止することが可能となっている。
【００４４】
ここで、第二の浄化層４としては、図示しないが、ゼオライトからなるものとして構成されている。
【００４５】
これにより、浄化能力の高い材料が用いられることになり、その結果、射撃場１０周辺の環境汚染をより確実に防止することが可能となっている。
【００４６】
なお、第二の浄化層４としては、図２（ｂ）に示すように、適宜の形状寸法を有する板状又はブロック状のゼオライト板４１を用いている。ここで、ゼオライト板４１は、ゼオライトを樹脂で固めてなり、クレーンなどで吊り上げるためのフックを有している。具体的には、ゼオライト板４１は、浄化層を形成する溝に地表からの着脱が可能な状態に敷き並べられている。
【００４７】
これにより、浄化能力の乏しくなったゼオライト板４１を新たなゼオライト板４１と地表面から交換できることになり、その結果、半永久的に浄化層の浄化能力を保つことが可能となっている。
【００４８】
なお、本実施の形態においては、第一の浄化層３と第二の浄化層４とは、互いに連続しており、画然と区別されていない。
【００４９】
（５）第三の浄化層５
本実施の形態においては、図１及び図２（ａ）に示すように、第一の防水層１の下側面に沿って第一の防水層１の平面寸法に対応する平面寸法を有する第三の浄化層５が設けられている。
【００５０】
ここで、第三の浄化層５は、これらの図に示すように、第一の浄化層３に連続している。また、第三の浄化層５としては、ゼオライトからなるものとして構成されている。
【００５１】
これにより、第一の防水層１を透過してきた鉛を含んだ雨水が浄化されることになり、その結果、第一の防水層１と第二の防水層２の間における傾斜地盤１２を涵養することが可能となっている。換言すれば、傾斜地盤１２を涵養することにより、自然斜面の状態に近づけることが可能となっており、もって緑化を促進することが可能となっている。
【００５２】
（６）排水路６
排水路６は、図１及び図２（ａ）に示すように、第一の浄化層３を通って浄化された水及び第二の浄化層４を通って浄化された水を集めて射撃場１０から排出するために用いられるものとして構成されている。
【００５３】
具体的には、排水路６は、ゼオライト板４１を装置したトレンチの下部に、上半部に有孔を備えたフューム管など斜面下部に敷き並べたものとして構成されている。
【００５４】
なお、大雨などの場合には、排水路６の終末放流口で水質管理を行い、必要に応じて第一の浄化層３及び第二の浄化層４にバイパス管にて再循環させることで、再処理を行ってから放流できるようになっている。
【００５５】
上記したように、本実施の形態に係る汚染防止システムによれば、汚染源である銃弾の傾斜地盤１２側への進入を阻止する第一の防水層１及び第一の防水層１の表面を流下した汚染水を浄化する浄化層を備えたものとして構成されている。
【００５６】
したがって、傾斜地盤１２に向かって銃弾が打ち込まれる場合でも、汚染水が傾斜地盤１２中に浸入せず、第一の防水層１の表面を流下し第一の浄化層３によって浄化されることになり、射撃場１０周辺の環境汚染を確実に防止できることとなっている。
【００５７】
【発明の効果】
本発明に係る汚染防止システムによれば、傾斜地盤に向かって銃弾が打ち込まれる場合でも、射撃場周辺の環境汚染を確実に防止できることとなる。
【図面の簡単な説明】
【図１】本発明の一実施の形態に係る汚染防止システムの全体構成を示す断面図である。
【図２】本発明の一実施の形態に係る汚染防止システムの部分構成を示す図（図２（ａ）は断面図、図２（ｂ）は斜視図）である。
【符号の説明】
１  第一の防水層
２  第二の防水層
３  第一の浄化層
４  第二の浄化層
５  第三の浄化層
６  排水路
１０  射撃場
１１  傾斜地盤面
１２  傾斜地盤
３１  遮水壁
３２  ゼオライト板
４１  ゼオライト板
【図１】
2004223445.tif 000003
【図２】
2004223445.tif 000004